(57)【要約】【課題】仕切体などの道具を用いることなく、水量が少なくても洗濯兼脱水槽内の洗濯物に万邊なく洗濯水を当てることのできる洗濯機を提供する。【解決手段】上部に吐出口１０ｅが設けられ、洗濯兼脱水槽１の側板２とで水路が形成され、攪拌翼の回転による洗濯兼脱水槽１内の洗濯水を吐出口１０ｅまで誘導するための水路本体１０と、水路本体１０の上部に設けられ、その水路本体１０により誘導された洗濯水を吐出口１０ｅから所定の角度で噴射し、洗濯兼脱水槽１内に発生している渦流を超えさせる水流誘導体１１とを備え、水流誘導体１１が設けられた水路本体１０を洗濯兼脱水槽１の側板２に周方向に複数配置している。【選択図】図１
2008161535.tif 000002
【特許請求の範囲】
【請求項１】
水槽内に回転可能に配設された洗濯兼脱水槽と、
前記洗濯兼脱水槽の底部に回動自在に設けられた攪拌翼と、
上部に吐出口が設けられ、前記洗濯兼脱水槽の側板とで水路が形成され、前記攪拌翼の回転による前記洗濯兼脱水槽内の洗濯水を前記吐出口まで誘導するための水路本体と、
前記水路本体とは別体に構成され、前記水路本体の上部に着脱可能に設けられ、その水路本体により誘導された洗濯水を前記吐出口から所定の角度で噴射する水流誘導体とを備え、
前記水流誘導体が設けられた前記水路本体を前記洗濯兼脱水槽の側板に配置したことを特徴とする洗濯機。
【請求項２】
前記水流誘導体は、流路に沿って吐出口まで断面積が除々に小さくなる形状とし、洗濯水を前記洗濯兼脱水槽の中央部よりも遠方へ届く角度で水平方向よりも上方へ向けて噴射することを特徴とする請求項１記載の洗濯機。
【請求項３】
前記水流誘導体が設けられた前記水路本体を前記洗濯兼脱水槽の側板に周方向に複数配置したことを特徴とする請求項１又は２記載の洗濯機。
【請求項４】
前記水路本体に設けられた吐出口の高さ位置が異なっていることを特徴とする請求項３記載の洗濯機。
【請求項５】
前記水流誘導体は、前記水路本体の吐出口から噴射する洗濯水の角度がそれぞれ異なっていることを特徴とする請求項３又は４記載の洗濯機。
【発明の詳細な説明】
【技術分野】
【０００１】
本発明は、パルセータ（攪拌翼）方式の洗濯機、特に洗濯水の循環によって洗濯を行う洗濯機に関するものである。
【背景技術】
【０００２】
従来のパルセータ方式の洗濯機は、底部に設けられた攪拌翼の裏羽根で洗濯液を底部に設けられた開口部および水通路を経由して、洗濯槽上部の放出口から洗濯槽内に放出して循環させている（例えば、特許文献１参照）。
【０００３】
また、他の洗濯機として、パルセータ（攪拌翼）に設けた裏羽根の外周部にポンプ室を形成し、このポンプ室によって洗濯兼脱水槽内の洗濯液を循環水路を通して洗濯兼脱水槽の上部に形成した散水口に送水するものがあった（例えば、特許文献２参照）。
【０００４】
【特許文献１】特開平８−６６５８９号公報（第３頁、図１）
【特許文献２】特開平８−２１５４６９号公報（第４頁、図１）
【発明の開示】
【発明が解決しようとする課題】
【０００５】
特許文献１に記載の洗濯機では、開口部が１００mm以上と大きいため、放出口から放出される洗濯水の量が多くなるものの、攪拌翼により発生している渦流のほぼ中央部か、手前側に洗濯水が落下し、洗濯物に満遍なく洗濯水が当たらず、また、洗濯に必要な水量が多くなっていた。
【０００６】
特許文献２に記載の洗濯機では、循環水路を通った洗濯水は散水口によって散水されるが、パルセータの上方に配置された仕切体の上面にセットされた洗濯物を洗うためであり、洗濯に仕切体が必要になっていた。
【０００７】
本発明は、前述のような課題を解決するためになされたもので、仕切体などの道具を用いることなく、洗濯兼脱水槽内の洗濯物に万邊なく洗濯水を当てることのできる洗濯機を提供することを目的とする。
【課題を解決するための手段】
【０００８】
本発明に係る洗濯機は、水槽内に回転可能に配設された洗濯兼脱水槽と、洗濯兼脱水槽の底部に回動自在に設けられた攪拌翼と、上部に吐出口が設けられ、洗濯兼脱水槽の側板とで水路が形成され、攪拌翼の回転による洗濯兼脱水槽内の洗濯水を吐出口まで誘導するための水路本体と、水路本体とは別体に構成され、水路本体の上部に着脱可能に設けられ、その水路本体により誘導された洗濯水を前記吐出口から所定の角度で噴射する水流誘導体とを備え、水流誘導体が設けられた水路本体を洗濯兼脱水槽の側板に配置したものである。
【発明の効果】
【０００９】
本発明においては、水路本体に別体でかつ着脱可能に設けられた水流誘導体によって、洗濯機のタイプ（例えば、水層の傾斜状態や容量など）に合わせて、吐出口から洗濯水の角度を所定角度で噴射させることができ、渦流によって回転している洗濯物に満遍なく当てることが可能になり、洗濯物を効率よく洗うことができる。
【発明を実施するための最良の形態】
【００１０】
図１は本発明の実施の形態に係る洗濯機の洗濯兼脱水槽に取り付けられた水路本体および水流誘導体の断面図、図２は水路本体および水流誘導体の斜視図、図３は水流誘導体を水路本体に取り付けて示す斜視図である。
【００１１】
洗濯機の洗濯兼脱水槽１は、有底円筒状に形成され、図示せぬ水槽内に回転可能に配設されている。洗濯兼脱水槽１の底部３中央には、投入された洗濯物および注水された水を攪拌する攪拌翼（図示せず）が回動自在に取り付けられ、側板２には脱水のための複数の通水孔（図示せず）が設けられている。前記の攪拌翼は、図示していないが、裏羽根を有し、水槽の下方に配置されたモータに連結され、洗濯およびすすぎ時に回転する。攪拌翼が回転した際には、裏羽根により、洗濯兼脱水槽１内の洗濯水が後述する水路本体１０と洗濯兼脱水槽１の側板２とで形成される水路内に送り込まれる。洗濯兼脱水槽１の上部に設けられたオートバランサ５は、内部に塩水が入っており、脱水時の水槽の揺れを軽減するためのものである。
【００１２】
前述した水路本体１０は、図２に示すように、洗濯兼脱水槽１の軸心を中心として円弧状に形成された正面板１０ａと、洗濯兼脱水槽１の側板２に当接するように扇状に形成された天板１０ｂと、正面板１０ａおよび天板１０ｂの両側を覆うように形成され、側板２に設けられた軸方向のスリット（図示せず）に嵌入された傾斜板１０ｃと、正面板１０ａおよび傾斜板１０ｃより前方に折れ曲がって形成され、洗濯兼脱水槽１の底部周縁に形成された段部４に嵌合して係止された支持板１０ｄと、正面板１０ａの上部に洗濯兼脱水槽１の周方向に細長く形成された吐出口１０ｅと、さらに図３に示すように、正面板１０ａの裏面にそれぞれ溝を有して対向して設けられ、各溝に洗濯兼脱水槽１の側板２に設けられた嵌め板（図示せず）が嵌入された一対の側壁１０ｆと、この一対の側壁１０ｆの間に設けられたリブ１０ｇとで構成されている。
傾斜板１０ｃの裏面には、一対の側壁１０ｆに沿って複数のネジ取付部１０ｈが配置されている。このネジ取付部１０ｈは、水路本体１０を洗濯兼脱水槽１の側板２に固定するためのものである。また、正面板１０ａの裏面に吐出口１０ｅ上部にネジ取付部１０ｉ（図１参照）が設けられている。このネジ取付部１０ｉは、後述する水流誘導体１１を固定するためのものである。正面板１０ａおよび一対の側壁１０ｆと洗濯兼脱水槽１の側板２とで水路が形成されている。なお、正面板１０ａは、円弧状に限らず、直線上であってもよい。
【００１３】
水流誘導体１１は、流入口１１ａ側の外形が前記水路と同じ大きさに形成されたほぼ長方体状に形成され、その内の前面部１１ｃの先端が外方に直角に折り曲げられて吐出口１０ｅの下面に接触し、前面部１１ｃに対向する背面部１１ｄは吐出口１０ｅに近づくにつれ内部空間が次第に小さくなるようにカーブしてその先端が吐出口１０ｅの上面に接触し、前面部１１ｃおよび背面部１１ｄの先端と両側面とで流出口１１ｂが形成されている。その流出口１１ｂは、吐出口１０ｅから噴射される洗濯水が所定の角度になるように調節されている。つまり、背面部１１ｄのカーブ面の角度が調整されている。この水流誘導体１１は、水路本体１０の裏面に設けられた一対の側壁１０ｆの間に嵌合し、カーブ面に設けられた固定板１１ｅを介してネジ取付部１０ｉ（図１参照）に螺合したネジ１１ｆ（図１参照）によって固定されている。
【００１４】
本実施の形態においては、水流誘導体１１が設けられた水路本体１０が洗濯兼脱水槽１の側板２に周方向に複数配置されている。その配置は、お互いに対向しないように設置されている。これは、両方から噴射された洗濯水が途中でぶつからないようにするためである。
【００１５】
ここで、洗濯兼脱水槽１は、通常、洗濯機筐体（図示せず）の四隅に設けられた４本の吊り棒（図示せず）により懸架されて、洗濯兼脱水槽１は垂直方向に吊架された状態で洗い工程および乾燥行程が行われる洗濯機や、洗濯兼脱水槽１が前方に傾斜した状態で洗い工程および乾燥行程が行なわれる洗濯機がある。また、洗い工程および乾燥工程において洗濯物の量が少ないときや洗濯終了時には、洗濯兼脱水槽１が洗濯機の前方に傾くようにすることもある。これは、４本の吊り棒の内、後方に配置された２本の吊り棒を駆動部によって上方に移動させることで洗濯兼脱水槽１を傾斜させている。
【００１６】
次に、動作について説明する。
洗濯工程およびすすぎ工程において攪拌翼が回転すると、洗濯兼脱水槽１内に投入された洗濯水は中央で渦流が発生し、洗濯水と共に洗濯物が回転する。この時、攪拌翼の裏羽根によって、洗濯兼脱水槽１内の底部３側の洗濯水は、洗濯兼脱水槽１内に配置された複数の水路本体１０内にそれぞれ送り込まれ、正面板１０ａおよび一対の側壁１０ｆと側板２とで形成される水路を経由し、水流誘導体１１の流入口１１ａから入って流出口１１ｂへ誘導され、吐出口１０ｅから所定の角度で噴射される。
このとき、前述したように、洗濯機の洗濯兼脱水槽１は、垂直方向に懸架された洗濯機や、洗濯兼脱水槽１が前方に傾斜している洗濯機、洗濯物の量が少ない時や洗濯終了時に洗濯兼脱水槽１が前方に傾くようになっている洗濯機などがあり、これらそれぞれの場合で、吐出口１０ｅから噴射される洗濯水の角度は異なってくる。
したがって、水流誘導体１１を水路本体１０とは別体かつ着脱可能とし、洗濯水の噴射角度を調整する流出口１１ｂを前述したような様々なタイプの洗濯機に合わせて、吐出口１０ｅから噴射される洗濯水を所定の角度になるような流入口１１ａを製作し、その洗濯機に合わせた流出口１１ｂを備えた水流誘導体１１を取り付けることで、どのようなタイプの洗濯機でも、渦流で回転している洗濯物に洗濯水を満遍なく当てることが可能になり、洗濯物を効率よく洗うことができる。
【００１７】
また、水流誘導体１１の流出口１１ｂは、流入口１１ａよりも小さいので勢いよく噴射される。複数の吐出口１０ｅから噴射された洗濯水は互いにぶつかることなく渦流を超え、水流によって回っている洗濯物に当たる。
【００１８】
以上のように本実施の形態によれば、水路本体１０により誘導された洗濯水を所定の角度で噴射させる水流誘導体１１を、水路本体１０と別体に構成し、その水路本体１０に着脱可能に設けたので、洗濯兼脱水槽１の傾斜状態に合わせた洗濯水の噴射の角度を有する水流誘導体１１を取り付けることが可能となり、どのような洗濯機であっても、洗濯物に満遍なく当てることが可能になり、洗濯物を効率よく洗うことができる。
また、水流誘導体１１が設けられた水路本体１０を洗濯兼脱水槽１の側板２に周方向に複数配置し、その複数の水流誘導体１１の流出口１１ｂから渦流を超える洗濯水がそれぞれ噴射されるようにしたので、渦流によって回転している洗濯物に満遍なく当てることが可能になり、洗濯物を効率よく洗うことができる。
【００１９】
また、水流誘導体１１は、水路本体１０とは別体に構成され、水路本体１０に着脱可能に取り付けられるようにしているので、水流誘導体１１の製造時に、水流誘導体１１の背面部１１ｄに形成されるカーブ面の角度を変えることができ、そのため、流出口１１ｂから噴射される洗濯水の角度を調整できる。
【００２０】
なお、前記の実施の形態では、吐出口１０ｅの高さ位置が同じ水路本体１０を使用したが、吐出口１０ｅの高さ位置が低い水路本体１０も配置して洗濯水を噴射させるようにしてもよい。このように、吐出口１０ｅの高さ位置の異なる水路本体１０を使用した場合、より洗濯物に満遍なく当てることができ、洗濯物を効率よく洗うことができる。
【００２１】
また、水流誘導体１１の流出口１１ｂから噴射される洗濯水の角度を一定として説明したが、噴射角度の異なる水流誘導体１１をそれぞれ水路本体１０に設けて洗濯物に噴射するようにしてもよい。このようにした場合も洗濯物に満遍なく当てることが可能になり、洗濯物を効率よく洗うことができる。
【図面の簡単な説明】
【００２２】
【図１】本発明の実施の形態に係る洗濯機の洗濯兼脱水槽に取り付けられた水路本体および水流誘導体の断面図である。
【図２】水路本体および水流誘導体の斜視図である。
【図３】水流誘導体を水路本体に取り付けて示す斜視図である。
【符号の説明】
【００２３】
１  洗濯兼脱水槽、２  側板、３  底部、４  段部、１０  水路本体、１０ａ  正面板、１０ｂ  天板、１０ｃ  傾斜板、１０ｄ  支持板、１０ｅ  吐出口、１０ｆ  側壁、
１０ｇ  リブ、１０ｈ，１０ｉ  ネジ取付部、１１  水流誘導体、１１ａ  流入口、
１１ｂ  流出口、１１ｃ  前面部、１１ｄ  背面部、１１ｅ  固定板、１１ｆ  ネジ。
【図１】
2008161535.tif 000003
【図２】
2008161535.tif 000004
【図３】
2008161535.tif 000005